(57)【要約】【課題】温度指針と湿度指針を具備したアナログ式の温湿度計であって、両指針によってインフルエンザ流行と熱中症発生との予測情報が視認できる温湿度計を提供する。【解決手段】計測された温度に応じて温度計測部材により旋回駆動される温度指針３と、計測された湿度に応じて湿度計測部材により旋回駆動される湿度指針４との２本の指針が，表示パネル２上のインフルエンザウイルス発生警告表示領域７または熱中症発生警告表示領域８または無警告領域９のいずれかの領域で交差することにより、使用者はインフルエンザウイルス流行状態か熱中症発生状態か安全状態かを表示パネル２で視認することができる。【選択図】図１
0003181544.tif 000002
【実用新案登録請求の範囲】
【請求項１】
温度計測部材によって駆動されて旋回角度により温度変化を示す温度指針と、湿度計測部材によって駆動されて旋回角度により湿度変化を示す湿度指針と、前記温度指針と前記湿度指針とが旋回可能に設けられる表示パネルと、該表示パネル上における前記温度指針の旋回軸の設置位置に対する部位に設けられて前記温度指針の旋回角度に対応した温度値を表示する温度表示部と、前記表示パネル上における前記湿度指針の旋回軸の設置位置に対する部位に設けられて前記湿度指針の旋回角度に対応した湿度値を表示する湿度表示部を備え、
前記表示パネル上における前記温度表示部と前記湿度表示部の間に、インフルエンザウイルスが発生しやすい温度と湿度との組み合わせを色表示するインフルエンザウイルス発生警告表示領域と、熱中症が発生しやすい温度と湿度との組み合わせを色表示する熱中症発生警告表示領域と、前記両領域以外の無警告領域とを設け、
前記温度指針と前記湿度指針とが交差する前記表示パネル上の前記発生領域によって、インフルエンザウイルス流行状態か熱中症発生状態か無警告状態かを視認可能にしたことを特徴とする温湿度計。
【請求項２】
前記インフルエンザウイルス発生警告表示領域と前記熱中症発生流行警告表示領域とが、それぞれ発生予想程度に応じて数段階に色分けされていることを特徴とする請求項１記載の温湿度計。
【請求項３】
前記色分けされた前記発生予測程度の強弱内容が、前記表示パネル上に表記されていることを特徴とする請求項１または２記載の温湿度計。
【考案の詳細な説明】
【技術分野】
【０００１】  本考案は、温度と湿度を計測し、表示パネル上に設けられた温度と湿度の各目盛をそれぞれ指針によって指すことにより、計測した温度と湿度をアナログ的に視認可能にした温湿度計に係り、さらに計測された温度と湿度に基づく生活環境情報を指針により表示する構成の温湿度計に関するものである。
【背景技術】
【０００２】  温湿度計には、表示パネルに旋回可能に設けられた温度指針と湿度指針とによって、対応する温度目盛／湿度目盛を指すことによって、計測した温度と湿度を表示する機械的構成のアナログタイプのものや、計測した温度と湿度を、計器本体に設けられた表示ディスプレイにデジタル表示する電気的構成のデジタルタイプのものがある。【０００３】  前記アナログタイプの温湿度計は、表示パネル上に左右独立して配置された温度指針及び湿度指針を旋回駆動し、特許文献１に記載されているように、温度指針と湿度指針の交差範囲にカビ発生情報を設けたり、あるいは熱中症発生情報に関する表示領域を設けたりして、計測された温度と湿度に応じて旋回駆動された両指針が交差する位置によって、生活環境の状態／程度を視認することができるようにした構成のものがある。【０００４】  また、前記デジタルタイプの温湿度計において、特許文献２に記載されているように、計測された温度と湿度に応じた熱中症予防及び風邪予防に関する情報をデジタル表示するようにした構成のものもある。
【先行技術文献】
【特許文献】
【０００５】
【特許文献１】特開２０００−３２１１４号公報
【特許文献２】実用新案登録第３１７１６９９号公報
【考案の概要】
【考案が解決しようとする課題】
【０００６】  特許文献１に記載のアナログタイプの温湿度計では、カビの発生に関する情報を視認可能にしているが、情報としては１種類である。また、特許文献２に記載のデジタルタイプの温湿度計では、熱中症と風邪に関する情報の２種類である。【０００７】  特許文献２に記載の温湿度計において表示される熱中症と風邪（インフルエンザ）に関する情報は、現在、一般人において注目されている生活環境情報である。しかし、特許文献２に記載の温湿度計は、電気的構成のデジタルタイプのものであって、熱中症予防モードと風邪予防モードのいずれかを表示させる構成である。このため特許文献２に記載の温湿度計にはモード切替スイッチが設けられ、使用者がモードの選択及び設定を行う必要がある。【０００８】  そこで本考案は、温度指針と湿度指針を具備したアナログ式の温湿度計であって、両指針によってインフルエンザ流行及び熱中症発生の予測情報が視認できる温湿度計を提供することを目的とする。
【課題を解決するための手段】
【０００９】  前記目的を達成するため、本考案に係る温湿度計は、温度計測部材によって駆動されて旋回角度により温度変化を示す温度指針と、湿度計測部材によって駆動されて旋回角度により湿度変化を示す湿度指針と、前記温度指針と前記湿度指針とが旋回可能に設けられる表示パネルと、該表示パネル上における前記温度指針の旋回軸の設置位置に対する部位に設けられて前記温度指針の旋回角度に対応した温度値を表示する温度表示部と、前記表示パネル上における前記湿度指針の旋回軸の設置位置に対する部位に設けられて前記湿度指針の旋回角度に対応した湿度値を表示する湿度表示部を備え、前記表示パネル上における前記温度表示部と前記湿度表示部の間に、インフルエンザウイルスが発生しやすい温度と湿度との組み合わせを色表示するインフルエンザウイルス発生警告表示領域と、熱中症が発生しやすい温度と湿度との組み合わせを色表示する熱中症発生警告表示領域と、前記両領域以外の無警告領域とを設け、前記温度指針と前記湿度指針とが交差する前記表示パネル上の前記発生領域によって、インフルエンザウイルス流行状態か熱中症発生状態か無警告状態かを視認可能にしたことを特徴とする。【００１０】  また、本考案に係る温湿度計は、前記インフルエンザウイルス発生警告表示領域と前記熱中症発生流行警告表示領域とが、それぞれ発生予想程度に応じて数段階に色分けされていることを特徴とする。【００１１】  また、本考案に係る温湿度計は、前記色分けされた前記発生予測程度の強弱内容が、前記表示パネル上に表記されていることを特徴とする。
【考案の効果】
【００１２】  本考案に係る温湿度計によれば、計測された温度と湿度とに応じて表示パネル上で旋回駆動される温度指針と湿度指針との２本の指針が，表示パネル上のインフルエンザウイルス発生警告表示領域と熱中症発生警告表示領域と無警告領域とのいずれかの領域で交差することにより、インフルエンザウイルス流行状態か熱中症発生状態かを視認することができる。【００１３】  また、本考案に係る温湿度計はアナログタイプの構成であって、簡素化された構造で、使用者に特別な操作を強いることなく、インフルエンザウイルス発生と熱中症発生との２つの生活環境情報を示すことができる。
【図面の簡単な説明】
【００１４】
【図１】本考案に係る温湿度計の実施形態において指針が熱中症発生状態を示すときの表示パネルの正面図である。
【図２】本考案に係る温湿度計の実施形態において指針がインフルエンザウイルス発生状態を示すときの表示パネルの正面図である。
【考案を実施するための形態】
【００１５】  以下、本考案の好適な実施形態を図面に基づいて説明する。
【００１６】  図１，図２において、１は温湿度計の本体ケース、２は円盤状の表示パネル、３は旋回軸３ａを中心に旋回可能な温度指針、４は旋回軸４ａを中心に旋回可能な湿度指針である。
【００１７】  表示パネル２上には、温度指針３の旋回軸３ａの設置位置に対する部位に温度指針３の旋回角度に対応した温度値を表示する目盛と数字からなる温度表示部５と、湿度指針４の旋回軸４ａの設置位置に対する部位に湿度指針４の旋回角度に対応した湿度値を表示する目盛と数字からなる湿度表示部６とが印刷などにより設けられている。
【００１８】  さらに、表示パネル２上における温度表示部５と湿度表示部６の間に、インフルエンザウイルスが発生しやすい温度と湿度との組み合わせを色表示（図ではモノクロ表示）しているインフルエンザウイルス発生警告表示領域７と、熱中症が発生しやすい温度と湿度との組み合わせを色表示（図ではモノクロ表示）している熱中症発生警告表示領域８と、前記両領域７，８以外の無警告領域９とが印刷などにより設けられている。
【００１９】  本例では表示パネル２上において、左側に温度表示部５を設置し、右側に湿度表示部６を設置しており、またインフルエンザウイルス発生警告表示領域７を温度表示部５の近傍かつ下側の部位に設置し、熱中症発生警告表示領域８を湿度表示部６の近傍に沿うように設置してある。
【００２０】  また、インフルエンザウイルス発生警告表示領域７と熱中症発生警告表示領域８とは、流行／発生の予想程度によって色彩を複数段階に変えて表示している。本例では、インフルエンザウイルス発生警告表示領域７において、インフルエンザウイルス発生／流行予想の程度の強弱を２段階（警戒，注意）にて表示しており、熱中症発生警告表示領域８において、熱中症発生予想の程度の強弱を４段階（ほぼ安全，注意，警戒，危険）にて表示している。表示パネル２上における無色の白色部分９は、インフルエンザと熱中症の発生が無いと予想される無警告領域（安全領域）である。
【００２１】  使用者が上記の発生／流行予想程度を理解しやすいように、発生／流行予想程度の強弱（色彩変化）の内容説明１０を、表示パネル２の下側部分に具体的に色彩（図ではモノクロ表示）に対応させて記載してある。
【００２２】  インフルエンザウイルス発生警告表示領域７の形状は、温度と湿度とインフルエンザウイルス流行との関係を検証した研究データ（仙台市内科医師会：庄司眞医師による研究）におけるインフルエンザ流行予想のデータに基づいて形成されており、また、熱中症発生警告表示領域８の形状は、温度と湿度とＷＢＧＴ値との関連データ（日本生気象学会より発表）に基づいて形成されている。
【００２３】  温度指針３は、熱膨張率が異なる２枚の金属板を貼り合わせた温度計測部材としてのバイメタル（図示せず）を旋回軸３ａに設け、当該バイメタルが温度の変化によって曲がり方が変化する性質を利用して、旋回軸３ａを中心にして旋回する構造になっている。また、湿度指針４は、湿度によって伸縮率が異なる２枚の材料（例えば、金属板と合成樹脂材料）を貼り合わせた湿度計測部材としてのバイマテリアル（図示せず）を旋回軸４ａに設け、当該バイマテリアルが湿度の変化によって曲がり方が変化する性質を利用して、旋回軸４ａを中心にして旋回する構造になっている。
【００２４】  図１は、夏季などにおいて、温度指針３が約３３．５℃の高温を指し、かつ湿度指針４が約５２％を指している状態の環境下にあることを示しており、この場合、温度指針３と湿度指針４の交差する点が熱中症発生警告表示領域８内にあって、熱中症の発生予想が警戒状態にあることを示している。
【００２５】  図２は、冬季などにおいて、温度指針３が約１７．５℃を指し、かつ湿度指針４が約５２％を指している状態の環境下にあることを示しており、この場合、温度指針３と湿度指針４とが交差する点がインフルエンザウイルス発生警告表示領域７内にあって、インフルエンザウイルス流行予測が警戒状態にあることを示している。
【００２６】  また、温度指針３と湿度指針４とが交差する点が、インフルエンザウイルス発生警告表示領域７と熱中症発生警告表示領域８のいずれよりも外であれば、その環境はインフルエンザも熱中症も発生しないことが予測される安全状態にあることを示すことになる。
【００２７】  このように、本実施形態では、計測された温度と湿度とに応じて旋回駆動される温度指針３と湿度指針４との２本の指針が，表示パネル２上のインフルエンザウイルス発生警告表示領域７または熱中症発生警告表示領域８または無警告領域９のいずれかの領域で交差することにより、使用者はインフルエンザウイルス流行状態か熱中症発生状態か安全状態かを表示パネル２で視認することができる。
【００２８】  また、本実施形態は、アナログタイプの構成の温湿度計であって、簡素化された構造で、使用者に特別な操作を強いることなく、冬季のインフルエンザウイルス発生と夏季の熱中症発生との２つの生活環境情報を示すことができることから、無操作でオールシーズン使用することができる利便性に優れた温湿度計となる。
【００２９】  なお、本考案において、図面に基づき説明した上記実施形態の構成部材は、説明した形状、配置構造などに限定されるものではなく、意匠，材料などの仕様の変更により様々のものを用いることができる。
【産業上の利用可能性】
【００３０】  本考案は、温度と湿度に加えて冬季と夏季における２つの生活環境情報を示すアナログタイプの構成の温湿度計として有効である。
【符号の説明】
【００３１】１  本体ケース
２  表示パネル
３  温度指針
３ａ  旋回軸
４  湿度指針
４ａ  旋回軸
５  温度表示部
６  湿度表示部
７  インフルエンザウイルス発生警告表示領域
８  熱中症発生警告表示領域
９  無警告領域
１０  内容説明箇所
【図１】
0003181544.tif 000003
【図２】
0003181544.tif 000004